(57)【要約】【課題】電子部品に変形や破損をさせることなく、簡単な制御により部品をスムーズに供給可能な電子部品供給装置およびその制御方法を提供する。【解決手段】ホッパー１は、このホッパー１の長辺側両端部下側において一対の板バネ３により図中矢印方向に揺動自在に支持されている。支柱プレート４には、モータ５が取り付けられ、このモータ５にはシャフト９を介してベアリング８が設けられている。ホッパー１の短辺側両端部下側には、このベアリング８が当接する半円形のベアリング受部７が設けられ、ホッパー１はベアリング受部７においてベアリング８の回転を受けることにより揺動するようになっている。【選択図】図１
2007129052.tif 000002
【特許請求の範囲】
【請求項１】
電子部品を収納するとともに順次排出口へ排出するホッパーと、このホッパーを支持する支持部材とを備えた電子部品供給装置において、
前記ホッパーは、前記支持部材に揺動自在に支持され、
モータと、このモータのシャフトに固定されたベアリングとが設けられ、
前記ベアリングは、前記シャフトに対して前記ベアリングの中心から偏った位置を軸として固定されており、
前記ホッパーには、前記ベアリングの回転面が当接する回転受部が設けられ、
前記モータの駆動により前記ベアリングが偏芯して回転することによって、前記ホッパーが揺動するように構成されていることを特徴とする電子部品供給装置。
【請求項２】
前記支持部材は、板バネからなり、
前記ベアリングの回転により前記ホッパーが揺動することによって、前記板バネの振動がホッパーに伝播することを特徴とする請求項１記載の電子部品供給装置。
【請求項３】
請求項１又は２記載の電子部品供給装置の制御方法であって、
前記ホッパー外に設けられたセンサにより、前記排出口から排出される電子部品の排出量を測定し、
前記排出量に応じて、前記モータの回転と停止を交互に繰り返すように制御することを特徴とする電子部品供給装置の制御方法。
【発明の詳細な説明】
【技術分野】
【０００１】
本発明は、微細な電子部品を電子部品製造装置に供給するのに好適な電子部品供給装置に関する。
【背景技術】
【０００２】
従来、微細な電子部品等を電子部品製造装置に対して供給する部品供給装置が知られている。このような部品供給装置は、ホッパーに大量に投入した電子部品を振動により、又はレバーやコンベア等を使用して電子部品製造装置に供給するものである。
【０００３】
部品供給装置における部品の供給方法としては、例えば、電子部品が収納された収納箱を、この収納箱の下面に挿通して設けられたレバーにより上下に摺動させ、このレバー内に設けられた管内に沿って排出させる方法が提案されている（下記特許文献１参照）。また、電子部品が収納された収納箱内に斜めに傾斜板が設けられ、この傾斜板を振動させるとともに取り出し部にシャッターを設け間欠的に開閉し、電子部品を順次排出する方法が提案されている（下記特許文献２参照）。さらには、電子部品が収納されているホッパー内に複数の仕切り板を設け、電子部品を滞留させることなくホッパー内から排出させる方法が提案されている（下記特許文献３参照）。
【特許文献１】特開平６−２３２５９６号公報
【特許文献２】特開平９−２３７９９４号公報
【特許文献３】特開平１１−２７４７９７号公報
【発明の開示】
【発明が解決しようとする課題】
【０００４】
しかしながら、上記のいずれの場合においても装置のサイズが大きく、またその駆動制御も複雑になり、電子部品製造装置の供給口に容易に取付け可能であることを標榜する簡易供給装置の本来の目的からは離れたものとなっていた。
【０００５】
また、ベルトコンベア式の搬送機構においては、電子部品がベルトの隙間や回転部の隙間にはまり込み、変形又は破損するというトラブルが発生していた。
【０００６】
本発明は、上記のような従来技術の問題点を解決するために提案されたものであり、電子部品に対し変形や破損をさせることなく、しかも簡単な制御により部品をスムーズに供給可能な電子部品供給装置およびその制御方法を提供することを目的とする。
【課題を解決するための手段】
【０００７】
上記の目的を達成するため、請求項１に記載の発明は、電子部品を収納するとともに順次排出口へ排出するホッパーと、このホッパーを支持する支持部材とを備えた電子部品供給装置において、前記ホッパーは、前記支持部材に揺動自在に支持され、モータと、このモータのシャフトに固定されたベアリングとが設けられ、前記ベアリングは、前記シャフトに対して前記ベアリングの中心から偏った位置を軸として固定されており、前記ホッパーには、前記ベアリングの回転面が当接する回転受部が設けられ、前記モータの駆動により前記ベアリングが偏芯して回転することによって、前記ホッパーが揺動するように構成されていることを特徴とする。
【０００８】
以上のような請求項１の発明では、ベアリングがその中心を偏芯させてシャフトに固定されており、支持部材に揺動自在に支持されたホッパーは、モータの駆動によってベアリングが回転することで、左右に揺動される。
【０００９】
これにより、ホッパー内に収納された電子部品を詰まらせることなく、流れよく排出することが可能となる。従って、部品の詰まりによる電子部品の変形や破損を防ぐことができ、全体として歩留まりを向上させることができる。
【００１０】
請求項２の発明は、請求項１の発明において、前記支持部材は、板バネからなり、前記ベアリングの回転により前記ホッパーが揺動することによって、前記板バネの振動がホッパーに伝播することを特徴とする。
【００１１】
以上のような請求項２の発明では、支持部材とホッパーとの間に板バネが取り付けられているため、ホッパーがモータの回転により左右に揺動することにより板バネが振動し、この振動がホッパーに伝わり、ホッパーが振動する。このように、ホッパーは、モータの回転により、左右に揺動するとともに振動するため、ホッパー内に収納された電子部品を詰まらせることなく、流れよく排出することが可能となる。従って、部品の詰まりによる電子部品の変形や破損を防ぐことができ、全体として歩留まりを向上させることができる。
【００１２】
請求項３は、請求項１又は２記載の電子部品供給装置の制御方法であって、前記ホッパー外に設けられたセンサにより、前記排出口から排出される電子部品の排出量を測定し、前記排出量に応じて、前記モータの回転と停止を交互に繰り返すように制御することを特徴とする。
【００１３】
以上のような請求項３の発明では、外部に設けたセンサにより、ホッパーの排出口から排出される電子部品の排出量に応じて、モータの回転と停止を制御することによって、排出量の調整を行うことができるようになる。特に、電子部品の形状及びサイズが異なる場合に、排出状況に応じてモータの回転数を多くしたり、少なくしたり、停止時間を長くしたり短くしたりする制御が可能となる。
【発明の効果】
【００１４】
本発明によれば、従来使用されていたベルトコンベア等の大掛かりな機構を必要とせず、モータ、シャフト、ベアリングによる発生される振動を駆動源とし、電子部品に対し間接的に振動を与えるため、電子部品に変形や破損をさせることなく、しかも簡単な制御により部品をスムーズに供給可能な電子部品供給装置およびその制御方法を提供することができる。
【発明を実施するための最良の形態】
【００１５】
次に、本発明を実施するための最良の形態を、図１乃至図３を参照して説明する。
【００１６】
［実施形態］
［１．構成］
本実施形態の部品供給装置は、図１に示すように、ホッパー１と、ホッパー１に取り付けられた排出口２と、ホッパー１を支持する板バネ３とを備える。部品供給装置は、また、支柱プレート４と、この支柱プレート４に設けられたモータ５とを備える。また、この支柱プレート４はベースプレート６に固定されている。このような部品供給装置は、図１に参考として示すように、ボールフィーダＦ等のパーツフィーダに対して、電子部品を順次供給するものである。
【００１７】
上記のような構成からなる部品供給装置は、図２（ａ）及び（ｂ）に示すように、大きく分けて２つの部分からなる。すなわち、ホッパー１、排出口２及び板バネ３からなるホッパー部Ａと、支柱プレート４、モータ５及びベースプレート６からなる支柱プレート及びモータ部Ｂと、から構成されている。
【００１８】
図２（ａ）に示すように、ホッパー部Ａは、複数の電子部品を収納するホッパー１と、ホッパー１の一部に取り付けられ、ホッパー１に収納された電子部品が順次排出される排出口２とを備える。また、ホッパー１は上部が開口した直方体で、底面は電子部品の排出を容易にするため排出口２に向かって緩やかに傾斜している。排出口２は、ホッパー１の長辺側の面に取り付けられ、ホッパー１との接続部分から排出口２の先端方向に向けて、幅の狭まった台形状を形成している。ホッパー１と排出口２とは連通し、ホッパー１に投入された電子部品は排出口２に送り出されるように構成されている。また、排出口２の台形の上底を形成する面は、開口しており、ホッパー１から送られる電子部品はこの位置からボールフィーダ等へ供給される。
【００１９】
ホッパー１は、また、長辺側両端部下側において一対の板バネ３により図中矢印方向に揺動自在に支持されている。すなわち、ホッパー１の短辺側一方には、後述するベアリング８と同径でこのベアリング８が当接するベアリング受部７が設けられ、ホッパー１は、ベアリング受部７においてベアリング８の回転を受けることにより図中矢印方向に揺動するようになっている。
【００２０】
図２（ｂ）に示すように、支柱プレート及びモータ部Ｂは、ベースプレート６に支柱プレート４が固定され、支柱プレート４にモータ５が固定され、このモータ５にはシャフト９を介して円形のベアリング８が設けられている。
【００２１】
以上のようなホッパー部Ａと支柱プレート及びモータ部Ｂとからなる部品供給装置では、図１に示すように、ホッパー１のベアリング受部７においてベアリング８の回転を受けることにより揺動するようになっている。
【００２２】
より具体的には、図３に示すように、ベアリング８は、その中心を偏芯させてシャフト９に固定されており、モータ５が回転することによりホッパー１に振動を与えるとともに、前後に揺動させるように構成されている。
【００２３】
すなわち、図３（ａ）に示すように、シャフト９の中心からベアリング８までの径の最長部分Ｌが図面右側水平位置にある場合には、ホッパー１は図に破線で示す元の位置から図面右側に移動した状態となる。反対に、同図（ｂ）に示すように、シャフト９の中心からベアリング８までの径の最長部分Ｌが図面左側水平位置にある場合には、ホッパー１は図に破線で示す元の位置から図面左側に移動した状態となる。したがって、モータ５が複数回回転することによって、ホッパー１は左右方向への移動を繰り返し、揺動する状態となる。
【００２４】
また、ホッパー１の長辺側下部のベースプレート６との間には、一対の板バネ３が取り付けられ、この板バネ３の下部はベースプレート６に固定されている。この板バネ３は、モータ５が回転し、ホッパー１が左右に揺動するたびに、ホッパー１に対して振動を与えるように構成されている。
【００２５】
なお、モータ５の回転制御は適宜変更可能である。すなわち、モータ５の回転数を種々変更することにより、ホッパー１の振動、揺動回数を変更し、電子部品の排出量を適宜調整することができる。これは、ホッパー１からの電子部品の排出量が電子部品の形状及びサイズにより異なることから、排出状況に応じてモータ５の回転数を多くしたり、少なくしたり、停止時間を長くしたり短くしたりする制御を可能とするためである。
【００２６】
例えば、図１に示すように、ボールフィーダＦの上方に満杯センサを設け、ボールフィーダに溜まる電子部品の量が常に一定になるように、モータ５をＯＮ／ＯＦＦ制御することも可能である。具体的には、毎秒５〜６回転の回転動作と停止とを１〜２秒ごとに交互に繰り返す制御が可能である。また、このような制御は、部品供給装置に設けられた操作盤において容易に行えるように構成することも可能である。
【００２７】
［２．作用効果］
以上のような本実施形態では、図２（ａ）及び（ｂ）に示すように、ベアリング８がその中心を偏芯させてシャフト９に固定されているため、このベアリング８の偏芯運動によりホッパー１側面は左右に揺動される。その結果、ホッパー１全体が揺動されることとなる。
【００２８】
これにより、ホッパー１内に収納され傾斜面に載った電子部品を、排出口２とホッパー１との間で詰まらせることなく、流れよく排出口２に排出することが可能となる。従って、部品の詰まりによる電子部品の変形や破損を防ぐことができ、全体として歩留まりを向上させることができる。
【００２９】
また、ベースプレート６とホッパー１との間に板バネ３が取り付けられているため、ホッパー１がモータ５の回転により左右に揺動することにより板バネ３が振動する。この振動がホッパー１に伝わり、ホッパー１が振動する。ホッパー１は、モータの回転により、左右に揺動するとともに振動するため、ホッパー１内に収納され傾斜面に載った電子部品を、排出口２とホッパー１との間で詰まらせることなく、流れよく排出口２に排出することが可能となる。従って、部品の詰まりによる電子部品の変形や破損を防ぐことができ、全体として歩留まりを向上させることができる。
【００３０】
このように、本実施形態によれば、従来使用されていたベルトコンベア等の大掛かりな機構を必要とせず、モータ、シャフト、ベアリングによる発生される振動を駆動源とし、電子部品に対し間接的に振動を与えるため、電子部品に変形や破損をさせることなく、しかも簡単な制御により部品をスムーズに供給可能な電子部品供給装置を提供することができる。
【００３１】
［他の実施形態］
なお、本発明は上記実施の形態に限定されるものではなく、次のような他の実施の形態も包含するものである。すなわち、ホッパーや排出口の全体形状は、任意に変更可能である。また、ベアリング及びシャフトをホッパーの左右両側に一対設け、２つのベアリングによって同一方向に揺動させるように構成することも可能である。
【図面の簡単な説明】
【００３２】
【図１】本発明の実施形態における電子部品供給装置の全体構成を示す斜視図。
【図２】本発明の実施形態における電子部品供給装置の構成を示す斜視図。
【図３】本発明の実施形態における電子部品供給装置の詳細な構成を示す図。
【符号の説明】
【００３３】
１…ホッパー
２…排出口
３…板バネ
４…支柱プレート
５…モータ
６…ベースプレート
７…ベアリング受部
８…ベアリング
９…シャフト
Ａ…ホッパー部
Ｂ…モータ部
Ｆ…ボールフィーダ
【図１】
2007129052.tif 000003
【図２】
2007129052.tif 000004
【図３】
2007129052.tif 000005